(57)【要約】      （修正有）【課題】鮎釣りの現場において金属糸の補修作業をたやすくできるようにするために用いる鮎釣り仕掛け用糸保持具を提供する。【解決手段】筒状の摘まみ部材１５の一端側の内径を小径に形成するとともに、該小径部に雌ねじを形成し、該雌ねじに螺合する雄ねじを少なくともその基部側に形成したねじを前記摘まみ部材の他端側から一端側に向けてねじ嵌合させるとともにねじ軸１６ａを前記摘まみ部材から突出させ、該突出させたねじ軸の中間部に筒状の糸押圧体１４を挿通し、前記ねじ軸の先端部に糸受け体１３を前記ねじ軸に対して回転不能に固定するとともに前記糸受け体を前記糸押圧体に対して相対回転不能となし、前記摘まみ部材を回転させることにより前記糸受け体と前記糸押圧体とを接離可能となし、前記摘まみ部材の他端側に係止具２０を取り付ける。【選択図】図２
0003169339.tif 000002
【実用新案登録請求の範囲】
【請求項１】
筒状の摘まみ部材の一端側の内径を小径に形成するとともに、該小径部に雌ねじを形成し、該雌ねじに螺合する雄ねじを少なくともその基部側に形成したねじを前記摘まみ部材の他端側から一端側に向けてねじ嵌合させるとともにねじ軸を前記摘まみ部材から突出させ、該突出させたねじ軸の中間部に筒状の糸押圧体を挿通し、前記ねじ軸の先端部に糸受け体を前記ねじ軸に対して回転不能に固定するとともに前記糸受け体を前記糸押圧体に対して相対回転不能となし、前記摘まみ部材を回転させることにより前記糸受け体と前記糸押圧体とを接離可能となし、前記摘まみ部材の他端側に係止具を取り付けたことを特徴とする鮎釣り仕掛け用糸保持具。
【請求項２】
糸押圧体又は糸受け体の一方に他方に向けて突出する規制ピンを固定し、前記糸押圧体又は糸受け体の他方に該規制ピンの突出部が嵌合するピン穴を形成し、前記規制ピンを前記ピン穴に嵌合させて前記糸受け体と前記糸押圧体とを相対回転不能とした請求項１に記載の鮎釣り仕掛け用糸保持具。
【請求項３】
摘まみ部材の他端側に取り付ける係止具は、前記摘まみ部材に対して回転自在な連結具を介して取り付けられる請求項１又は２に記載の鮎釣り仕掛け用糸保持具。
【考案の詳細な説明】
【技術分野】
【０００１】
本考案は、鮎釣りの現場において金属糸や極細糸の編み込み作業をする際に用いる鮎釣り仕掛け用糸保持具に関する。
【背景技術】
【０００２】
鮎の友釣りに使用する釣り糸は水切れ抵抗を極限まで抑えるために水中糸として極細の金属糸を使うのが一般的である。金属糸は高価でありかつ川底の石などに接触して傷つき、たやすく切れてしまうこともある。そこで、金属糸とナイロン糸などの樹脂糸とを連結して強度及び操作性を高めて釣り仕掛けを作る。ここで、金属糸と樹脂糸とは相性が悪く、強固に結束するために金属糸に樹脂糸を三つ編み様に編み込んで結束する。
一般に、その編み込み作業は現場では行わず、前もって準備しておく。もし、切れてしまった場合には、予め用意してあった新しい仕掛けに取り替える。
【０００３】
編み込み作業に用いる装置としては、例えば、特許文献１に開示されたものがある。この装置は、ライン糸を固定する左右２本の取り付けバーを設け、片方の取り付けバーを揺動可能にしてライン糸の張力設定を可能とし、取り付けバーは着脱式にして使わない時には編み込み装置と収納箱を一体にした収納箱に格納できるようにしたものである。
このものは、左右２本の取り付けバー間にライン糸を固定するもので、ライン糸の張力の設定も可能であり、室内で編み込み作業をするには便利であるが、釣り場に持参して編み込み作業に用いるものではない。
【０００４】
鮎の友釣り現場において、金属糸の補修は大変困難な作業を伴う。編み込み作業は両手を必要とするため、金属糸を歯で噛んで保持し編み込み作業を行うことになるが、極細の金属糸のため、作業中に抜け落ちたり、歯でかみ切ってしまうこともある。また、口元で編み込み作業をしなければならないため、よく見えず作業が大変困難である。
【先行技術文献】
【特許文献】
【０００５】
【特許文献１】実用新案登録第３１１２４７１号公報
【考案の概要】
【考案が解決しようとする課題】
【０００６】
そこで、本考案の目的は、鮎釣りの現場において金属糸の補修作業をたやすくできるようにするために用いる鮎釣り仕掛け用糸保持具を提供することにある。
【課題を解決するための手段】
【０００７】
上記課題を解決するため本考案による鮎釣り仕掛け用糸保持具は、筒状の摘まみ部材の一端側の内径を小径に形成するとともに、該小径部に雌ねじを形成し、該雌ねじに螺合する雄ねじを少なくともその基部側に形成したねじを前記摘まみ部材の他端側から一端側に向けてねじ嵌合させるとともにねじ軸を前記摘まみ部材から突出させ、該突出させたねじ軸の中間部に筒状の糸押圧体を挿通し、前記ねじ軸の先端部に糸受け体を前記ねじ軸に対して回転不能に固定するとともに前記糸受け体を前記糸押圧体に対して相対回転不能となし、前記摘まみ部材を回転させることにより前記糸受け体と前記糸押圧体とを接離可能となし、前記摘まみ部材の他端側に係止具を取り付けたこと、を特徴としている。
ここで、糸押圧体又は糸受け体の一方に他方に向けて突出する規制ピンを固定し、前記糸押圧体又は糸受け体の他方に該規制ピンの突出部が嵌合するピン穴を形成し、前記規制ピンを前記ピン穴に嵌合させて前記糸受け体と前記糸押圧体とを相対回転不能とするとよい。
また、摘まみ部材の他端側に取り付ける係止具は、前記摘まみ部材に対して回転自在な連結具を介して取り付けるとよい。
【考案の効果】
【０００８】
本考案による鮎釣り仕掛け用糸保持具によれば、鮎釣りの現場において、釣り人の釣りベストなどに係止具を介して本糸保持具を取り付け、釣り竿の穂先側に接続した金属糸を糸受け体と糸押圧体との間に保持して糸を張った状態とすることができる。このとき、両手はフリーとなり、また見易い位置に金属糸を張ることができるので、容易に編み込み作業をすることができる。このため、高価な金属糸を短くなるまで使いきることができ、経済的である。
ここで、糸押圧体又は糸受け体の一方に他方に向けて突出する規制ピンを固定し、糸押圧体又は糸受け体の他方に該規制ピンの突出部が嵌合するピン穴を形成し、規制ピンをピン穴に嵌合させて糸受け体と糸押圧体とを相対回転不能とすれば、簡単な構造で糸受け体と糸押圧体との相対回転を規制することができ、摘まみ部材を回転させても糸押圧体が供回りすることがなく、金属糸の巻き込みを防止することができる。
また、摘まみ部材の他端側に取り付ける係止具を、摘まみ部材に対して回転自在な連結具を介して取り付ければ、本糸保持具を釣りベストなどの服に取り付けて使用する際、本糸保持具に保持した糸の撚れを防止することができる。
【図面の簡単な説明】
【０００９】
【図１】鮎の友釣り仕掛けの説明図である。
【図２】本考案の実施例による鮎釣り仕掛け用糸保持具の断面説明図であり、（ａ）は糸受け体と糸押圧体とが緩んだ状態を示し、（ｂ）は押圧状態を示す。
【図３】本考案の実施例による鮎釣り仕掛け用糸保持具の使用状態を示す説明図である。
【考案を実施するための形態】
【００１０】
以下、本考案を実施するための形態を図面に基づいて具体的に説明する。図１において、符号１は鮎釣り用の釣り竿でその穂先には天井糸２が接続されている。天井糸２は編み込み３ａにより長さ調整可能となっている。天井糸２にはリリアン４を介して上付け糸５が接続されている。上付け糸５の他端側は極細の金属糸からなる水中糸６が編み込み３ｂにより接続されている。水中糸６には３箇所に目印７が編み込みにより取り付けられている。水中糸６の他端側には下付け糸８が編み込み３ｃにより接続されている。下付け糸８の他端側には鼻カン周り仕掛け部としての鼻カン９、逆さ針１０、掛け針１１が接続されている。
そして、本考案による鮎釣り仕掛け用糸保持具は、上記において、水中糸（金属糸）６への目印７の編み込みや水中糸６への下付け糸８の編み込み（３ｃ）作業等を行う際に好適に用いることができる。
【００１１】
図２において、本考案による鮎釣り仕掛け用糸保持具１２は、糸受け体１３と糸押圧体１４と摘まみ部材１５とこれらを連結する丸さらねじ１６等からなる。
摘まみ部材１５は円筒体の一端側の内径を小径に形成するとともに該小径部に雌ねじを形成し、該雌ねじ部に内側から丸さらねじ１６を上方に向けて螺合し、そのねじ軸１６ａを大きく上方に突出させる。
摘まみ部材１５の他端側には、軸心部に一端側から他端側に向けて頭付きのピン１７を圧入した円柱状蓋部材１８を六角穴付き止めねじ１９により固定してある。頭付きのピン１７の先端部を蓋部材１８より外側まで突出させ、その突出部にフックからなる係止具２０を連結するための孔２１を形成してある。係止具２０は摘まみ部材１５に対して回転自在なよりもどしからなる連結具２２を介して連結してある。
摘まみ部材１５の上方に大きく突出したねじ軸１６ａに円筒状の糸押圧体１４を挿通する。この糸押圧体１４の内径は丸さらねじ１６の径より若干大径に形成してあり、丸さらねじのねじ軸１６ａに対して図２中上下動可能となっている。
そして、丸さらねじのねじ軸１６ａの先端部には、該ねじ軸１６ａに螺合する雌ねじをその軸心部に形成した円柱状の糸受け体１３をねじ嵌合し、六角穴付き止めねじ１９により回転不能に固定してある。
【００１２】
糸押圧体１４には糸受け体１３に向けて突出する規制ピン２３を固定してあり、一方、糸受け体１３には該規制ピン２３の突出部が嵌合するピン穴２４を形成し、規制ピン２３をピン穴２４に嵌合させて糸受け体１３と糸押圧体１４とを相対回転不能としてある。
【００１３】
糸受け体１３は丸さらねじのねじ軸１６ａ先端部に固定され、摘まみ部材１５は丸さらねじ１６の頭部１６ｂにより抜け止めされるので、摘まみ部材１５が緩んだとしても、各部材１３，１４，１５が抜け落ちることはない。本糸保持具１２は、釣りベストなどに係止具２０を介して取り付けて使用するが、使用の都度摘まみ部材１５を締めつけておく必要はなく、摘まみ部材１５が緩んでも各部材１３，１４，１５が抜け落ちて紛失するおそれもない。
【００１４】
糸受け体１３と糸押圧体１４との対面側、すなわち金属糸を保持する部分は、極細金属糸の抜けを防ぎかつ傷つけないよう、適度な柔軟性と硬度をもつ硬質塩化ビニル樹脂等により形成してある。また、糸の挟み込み部位の角部は滑らかなアール状に形成し、糸の挟み込みを容易にするとともに糸切れを防止するようにしてある。
【００１５】
なお、図２では、丸さらねじのねじ軸１６ａの全長にわたって雄ねじを形成したものを示したが、雄ねじ部は少なくとも摘まみ部材１５との螺合部分（ねじ軸１６ａの基部側）に形成してあればよく、糸押圧体１４、糸受け体１３に対応する部分には必ずしも雄ねじを形成しなくともよい。
【００１６】
次に、本糸保持具１２の動作を説明する。図２（ａ）の押圧部を緩めた状態で、糸受け体１３と糸押圧体１４との隙間に金属糸６を位置させ、次いで摘まみ部材１５を回転させると摘まみ部材１５が押圧部材１４を押し上げ糸受け体１３を押圧して、金属糸６が糸受け体１３と糸押圧体１４との間に保持されることになる（図２（ｂ））。このとき、糸受け体１３と糸押圧体１４とは規制ピン２３により相対回転が規制されるので、摘まみ部材１５を回転させても糸押圧体１４が供回りすることはなく、金属糸６の巻き込みが防止される。
編み込み作業が終了すれば、摘まみ部材１５を反対方向に回転させて緩め、保持した金属糸６を本糸保持具１２から取り外す。
【００１７】
次に、本考案の実施例による鮎釣り仕掛け用糸保持具１２の釣り現場での使用方法を説明する。先ず、本糸保持具１２を、釣り人の着ている釣りベスト２５などに係止具２０を介して取り付けておく。次いで、摘まみ部材１５を回転させて緩んだ状態、すなわち、糸受け体１３と糸押圧１４との間に隙間がある状態とする（図２（ａ））。そして、釣り竿１の穂先側に接続した金属糸６を糸受け体１３と糸押圧体１４との間の隙間に挟み、摘まみ部材１５を回転させて糸押圧体１４を糸受け体１３側に押圧して糸受け体１３と糸押圧体１４との間に金属糸６を保持し、金属糸６を張った状態にする。このとき、両手はフリーであり、見易い位置に金属糸６を張ることができるので、容易に編み込み（３）作業を行うことができる（図３）。
【符号の説明】
【００１８】
１  釣り竿
２  天井糸
３，３ａ，３ｂ，３ｃ  編み込み
４  リリアン
５  上付け糸
６  水中糸（金属糸）
７  目印
８  下付け糸
１２  鮎釣り仕掛け用糸保持具
１３  糸受け体
１４  糸押圧体
１５  摘まみ部材
１６  丸さらねじ
１６ａ  ねじ軸
１６ｂ  頭部
１７  頭付きピン
１８  蓋部材
１９  六角穴付き止めねじ
２０  係止具
２１  孔
２２  連結具
２３  規制ピン
２４  ピン穴
２５  釣りベスト
【図１】
0003169339.tif 000003
【図２】
0003169339.tif 000004
【図３】
0003169339.tif 000005